(57)【要約】【課題】生産効率の向上、製造コストの低減および好ましい重量配分を促進し得る構成を有するゴルフクラブセットを提供する。【解決手段】ゴルフクラブセットのうち少なくとも２つのゴルフクラブは、打撃面とその背後に配された周辺重み付けエレメントを含んでおり、該周辺重み付けエレメントは、ボトム面、トップ面、ヒール面およびトウ面を有する内周壁を有し、該内周壁によってベース面を有するキャビティが区画されている。該キャビティ内にはインサートが配されており、該インサートは、少なくとも１つの第２要素およびこれと受動的かつ屈曲的に関連付けられた第１要素からなり、セット内の各クラブヘッドに対して実質的に同一であることができる。第１要素は前記ベース面と関連付けられ、前記少なくとも１つの第２要素は、ボトム面、トップ面、トウ面およびヒール面の少なくとも１つと関連付けられている。【選択図】図８Ａ
2010259801.tif 000002
【特許請求の範囲】
【請求項１】
少なくとも２つのクラブヘッドの各々が、
打撃面、
前記打撃面の後側に配された周辺重み付けエレメント、該周辺重み付けエレメントは、トップ面、ボトム面、ヒール面およびトウ面の少なくとも１つを有する内周壁を含み、該内周壁はベース面を有するキャビティの境界を定めており、および
前記キャビティに配された第１インサートを具え、
前記第１インサートは、前記少なくとも２つのクラブヘッドの各々に対して実質的に同一であり、かつ前記ベース面と関連付けられた第１要素と、該第１要素と受動的にかつ屈曲して関連付けられた少なくとも１つの第２要素とを含み、
該少なくとも１つの第２要素は、トップ面、ボトム面、ヒール面およびトウ面の少なくとも１つと関連付けられていることを特徴とするゴルフクラブセット。
【請求項２】
前記第１要素および前記少なくとも１つの第２要素は、同一材料から形成されている請求項１記載のゴルフクラブセット。
【請求項３】
前記第１インサートが、高分子材料からなる請求項２記載のゴルフクラブセット。
【請求項４】
第１の第２要素が前記トップ面と関連付けられており、第２の第２要素が前記ボトム面と関連付けられており、第３の第２要素が前記トウ面と関連付けられており、第４の第２要素が前記ヒール面と関連付けられている請求項１記載のゴルフクラブセット。
【請求項５】
前記少なくとも２つのクラブヘッドの各ベース面が実質的に一致している請求項１記載のゴルフクラブセット。
【請求項６】
前記第１要素および前記少なくとも１つの第２要素は、異なる材料から形成されている請求項１記載のゴルフクラブセット。
【請求項７】
前記第１要素は金属材料からなり、前記少なくとも１つの第２要素は非金属材料からなる請求項６記載のゴルフクラブセット。
【請求項８】
第１の第２要素が前記ボトム面と関連づけられており、第２の第２要素が前記トップ面と関連づけられている請求項１記載のゴルフクラブセット。
【請求項９】
第１の第２要素が前記トウ面と関連づけられており、第２の第２要素が前記ヒール面と関連づけられている請求項１記載のゴルフクラブセット。
【請求項１０】
各クラブヘッドが、前記第１インサートと関連づけられた第２インサートをさらに含む請求項１記載のゴルフクラブセット。
【請求項１１】
前記ベース面は第１周辺領域を含み、前記第１要素は第２周辺領域を含み、第１周辺領域が第２周辺領域より大きい請求項１記載のゴルフクラブセット。
【請求項１２】
前記少なくとも１つの第２要素は、前記トウ面と前記トップ面とに関連付けられている請求項１記載のゴルフクラブセット。
【請求項１３】
打撃面、
前記打撃面の後側に配された周辺重み付けエレメント、該周辺重み付けエレメントは、トップ面、ボトム面、ヒール面およびトウ面の少なくとも１つを有する内周壁を含み、該内周壁はベース面を有するキャビティの境界を定めており、および
前記キャビティに配された第１インサートを具え、
前記第１インサートは、前記ベース面と関連付けられた第１要素と、
該第１要素と受動的にかつ屈曲して関連付けられた少なくとも１つの第２要素とを含み、
該少なくとも１つの第２要素は、トップ面、ボトム面、ヒール面およびトウ面の少なくとも１つと関連付けられていることを特徴とするゴルフクラブヘッド。
【請求項１４】
前記第１要素は、前記少なくとも１つの第２要素と同一の材料から形成されている請求項１３記載のゴルフクラブヘッド。
【請求項１５】
前記第１インサートが、高分子材料から形成されている請求項１４記載のゴルフクラブセット。
【請求項１６】
前記第１要素および前記少なくとも１つの第２要素は、異なる材料から形成されている請求項１３記載のゴルフクラブヘッド。
【請求項１７】
前記第１要素は金属材料からなり、前記少なくとも１つの第２要素は非金属材料からなる請求項１６記載のゴルフクラブヘッド。
【請求項１８】
第１の第２要素が前記ヒール面と関連付けられており、第２の第２要素が前記トウ面と関連付けられている請求項１３記載のゴルフクラブヘッド。
【請求項１９】
第１の第２要素が前記トップ面と関連付けられており、第２の第２要素が前記ボトム面と関連付けられている請求項１３記載のゴルフクラブヘッド。
【請求項２０】
第１の第２要素が前記トップ面と関連付けられており、第２の第２要素が前記ボトム面と関連付けられており、第３の第２要素が前記トウ面と関連付けられており、第４の第２要素が前記ヒール面と関連付けられている請求項１３記載のゴルフクラブセット。
【請求項２１】
第２インサートが前記第１インサートと関連付けられている請求項１３記載のゴルフクラブヘッド。
【請求項２２】
前記第２インサートが、前記第１インサートと共同成型されている請求項２１記載のゴルフクラブヘッド。
【請求項２３】
前記ベース面は第１周辺領域を含み、前記第１要素は第２周辺領域を含み、第１周辺領域が第２周辺領域より大きい請求項１３記載のゴルフクラブヘッド。
【発明の詳細な説明】
【技術分野】
【０００１】
本発明は、ゴルフクラブセットおよびゴルフクラブヘッドに関する。
【背景技術】
【０００２】
一般に、アイアン型ゴルフクラブヘッドは、“ブレード”タイプと、“周辺重み付けされた（perimeter weighted）”タイプとに分類される。周辺重み付けされたアイアン型ゴルフクラブヘッドは、打撃面の後側に配分された重量の実質的集中を少なくとも１つの周壁の形状で持ち、これは時折、周辺重み付けエレメント（perimeter weighting element）と呼ばれる。周辺重み付けされたアイアン型ゴルフクラブはまた、周辺重み付けエレメントが、一般に打撃面と反対側のクラブヘッド後部にキャビティを区画するので、“キャビティーバック”アイアンとも呼ばれる。
【０００３】
打球時にプレーヤーに伝えられる触覚フィードバックを向上させるために、クラブセットにおける各キャビティーバッククラブヘッドの、周辺重み付けエレメントの少なくとも一部と後部キャビティとの両方に、ミスショットと同義の望ましくない動的刺激を減じるための１またはそれ以上の振動減衰部材が設けられることがある。アイアンセット全体に亘るクラブヘッド仕様の慣例的プログレッションは、少なくとも１つの振動減衰部材の形状もまたアイアンセットを通して補完的に移り変わることを要求することを当業者は理解するであろう。したがって、クラブセットの各クラブヘッドに対して少なくとも１つの独特の振動減衰部材が必要であり、これは製造コストの増大、生産性の低下につながる。
【０００４】
逆に、周辺重み付けアイアンセットの各クラブヘッドは、振動減衰部材を受けるための取付け“クレードル（揺りかご状受け台）”を含んでもよい。各アイアンにおける“クレードル”は、アイアンセットを通して同一の振動減衰部材が使用できるように構成され配向される。しかし、この形状制限は、アイアンセットにおける１またはそれ以上のクラブヘッドの重量特性に悪影響を及ぼし得る。
【発明の概要】
【発明が解決しようとする課題】
【０００５】
しかして、本発明の１またはそれ以上の側面において、本発明は、ミスショットに対する改良された触覚フィードバックを有するゴルフクラブヘッドを提供するものである。さらに、本発明は、生産効率の向上、製造コストの低減および好ましい重量配分を促進する有利な構成を有するゴルフクラブセットを提供するものである。
【課題を解決するための手段】
【０００６】
１つの例において、本発明の１またはそれ以上の側面によれば、ゴルフクラブセット中の少なくとも２つのクラブは、打撃面および該打撃面の後側に配された周辺重み付けエレメントを含み得る。該周辺重み付けエレメントは、ボトム面、トップ面、ヒール面およびトウ面を有する内周壁を含み得る。ベース面を有するキャビティは、該内周壁によって区画され、キャビティ内にインサートを含み得る。該インサートは、第１要素と少なくとも１つの第２要素とから構成されることができ、第１要素は、１またはそれ以上の第２要素と受動的にかつ屈曲可能に関連づけられており、またゴルフクラブセット内の少なくとも２つのヘッド間で実質的に同一であり得る。第１要素は、前記ベース面と関連付けられることができ、前記少なくとも１つの第２要素は、ボトム面、トップ面、トウ面およびヒール面の少なくとも１つと関連づけられ得る。
【０００７】
他の例において、本発明の１またはそれ以上の側面によれば、ゴルフクラブヘッドは、打撃面および該打撃面の後側に配された周辺重み付けエレメントを含み得る。該周辺重み付けエレメントは、ボトム面、トップ面、ヒール面およびトウ面を有する内周壁を含み得る。ベース面を有するキャビティは、該内周壁によって区画され、キャビティ内にインサートを含み得る。該インサートは、第１要素と少なくとも１つの第２要素とから構成されることができ、第１要素は、１またはそれ以上の第２要素と受動的にかつ屈曲可能に関連づけられている。第１要素は、前記ベース面と関連付けられることができ、前記少なくとも１つの第２要素は、ボトム面、トップ面、トウ面およびヒール面の少なくとも１つと関連づけられ得る。
【０００８】
以下において詳細に記載される実施例の１またはそれ以上によって提供されるごとき、種々の側面の本発明にしたがったゴルフクラブヘッドのこれらおよび他の特徴と利点は、以下の記載、添付図面および請求項から明らかであろう。添付の図面は単に説明を目的とするものであり、本発明の範囲を制限することを意図するものではない。
【図面の簡単な説明】
【０００９】
本発明の代表的実施について図面を参照して説明する。
【図１Ａ】本発明の１またはそれ以上の側面にしたがった代表的ゴルフクラブヘッドの正面図である。
【図１Ｂ】図１（Ａ）のゴルフクラブヘッドの分解背面斜視図である。
【図１Ｃ】図１（Ａ）のゴルフクラブヘッドの背面図である。
【図１Ｄ】図１（Ｃ）のＩＤ−ＩＤ断面図である。
【図１Ｅ１】本発明の１またはそれ以上の側面にしたがったアイアン型ゴルフクラブヘッドの相関セットの略図である。
【図１Ｅ２】本発明の１またはそれ以上の側面にしたがった代表的ゴルフクラブヘッドの略図である。
【図１Ｆ】本発明の１またはそれ以上の側面にしたがった代表的インサートの略図である。
【図２】本発明の１またはそれ以上の側面にしたがった代表的ゴルフクラブヘッドのトウ側断面図である。
【図３Ａ】本発明の１またはそれ以上の側面にしたがった代表的ゴルフクラブヘッドの背面図である。
【図３Ｂ】図３ＡのIIIB-IIIB断面図である。
【図４Ａ】本発明の１またはそれ以上の側面にしたがった代表的ゴルフクラブヘッドの背面図である。
【図４Ｂ】図４ＡのIVB-IVB断面図である。
【図５Ａ】本発明の１またはそれ以上の側面にしたがった代表的ゴルフクラブヘッドの背面図である。
【図５Ｂ】図５ＡのVB-VB断面図である。
【図６Ａ】本発明の１またはそれ以上の側面にしたがった代表的ゴルフクラブヘッドの背面図である。
【図６Ｂ】図６ＡのVIB-VIB断面図である。
【図７】本発明の１またはそれ以上の側面にしたがった代表的ゴルフクラブヘッドの背面図である。
【図８Ａ】本発明の１またはそれ以上の側面にしたがった代表的ゴルフクラブヘッドの背面図である。
【図８Ｂ】本発明の１またはそれ以上の側面にしたがったゴルフクラブヘッドのための代表的インサートの分解斜視図である。
【図９】本発明の１またはそれ以上の側面にしたがった代表的ゴルフクラブヘッドの背面図である。
【発明を実施するための形態】
【００１０】
図１（A）について説明する。本発明の１またはそれ以上の側面にしたがったゴルフクラブヘッド１００は、通常、トウ部１０４、ヒール部１０６、ソール部１０８、トップ部１１２、前縁１０５を有する打撃面１０２、およびシャフト（図示せず）を受け入れるためのホーゼル１１０から構成される。ホーゼル１１０はホーゼル中心線１０７を有する。打撃面１０２は、クラブヘッドと一体のものであってもよく、あるいは、例えば溶接、ロウ付け、接着剤接合、機械的結合などによってヘッドに接合されてもよい。
【００１１】
特に断りのない限り、以下に記載される全てのパラメータは「基準位置」に置かれたクラブヘッド１００について特定されたものである。ここで、「基準位置」とは、ホーゼル中心線１０７が仮想垂直面１０９内にあってかつ水平面１１１に対して規定のライ角αで傾斜している場合のクラブヘッド１００の位置を示す。仮想垂直面１０９は、通常前縁１０５に平行である。
【００１２】
図１Bに示されるように、ゴルフクラブヘッド１００は、内周壁１１５を有する周辺重み付けエレメント１１６によって少なくとも部分的に囲まれたベース面１１７によって境界が定められている後部キャビティ１３０をさらに含むことができる。内周壁１１５は、トウ面１２４、ヒール面１２８、トップ面１２２、および後縁１２９を有するボトム面１２６を含むことができる。後縁１２９は、面１２６と１１６の間の急激な変化によって定義される“ハード”エッジであってもよく、あるいは面１２６と１１６の間の徐々の変化によって定義される“ソフト”エッジであってもよい。本発明の１またはそれ以上の側面において、周辺重み付けエレメント１１６の各部は、クラブヘッドの重量特性を向上させるために、軽量材料、たとえば低密度複合材料および／またはポリマーなどと置き換えてもよく、あるいは全く置き換えなくてもよい。第１インサート１１８が、キャビティ１３０内に配され、この第１インサートは、第１要素１２０および、内周壁１１５に隣接する後縁１２７を有する少なくとも１つの第２要素１２３から構成される。
【００１３】
本発明の１またはそれ以上の側面によれば、前記第１インサート、例えば前記インサート１１８は、自由層ダンパー（free-layer damper）から構成することができ、有益な減衰特性を達成するために、高度に減衰された力学的に堅い材料、たとえばショア硬度が約３０Ａ〜１００Ａ、好ましくは約７０Ａ〜９０Ａ、より好ましくは約７５Ａ〜８５Ａの硬質材料から形成することができる。インサート１１８の減衰効率は、その厚さを調節することによって変更できる。一例において、インサート１１８は、変形されてヒステリシスによって歪エネルギーの一部を消散するときに歪エネルギーを蓄えることができる粘弾性材料から形成することができる。あるいは、インサート１１８は、（複数の）異種材料から形成することもできる。たとえば、インサート１１８は、少なくとも部分的に金属製の第１要素と、少なくとも１つの非金属製第２要素とを含むことができる。インサート１１８を製造するのに適した材料の例としては、たとえば、アルミニウム、チタニウム、ステンレススチール、ポリウレタン、シリコーン、ナイロン、ポリプロピレン（ＰＰ）、ポリエチレン（ＰＥ）、熱可塑性ゴム（ＴＰＲ）、熱可塑性加硫物（ＴＰＶ）、熱可塑性ポリウレタン（ＴＰＵ）、熱可塑性エラストマー（ＴＰＥ）、及び／又は天然ゴムが挙げられる。
【００１４】
図１Ｃおよび図１Ｄに示されるように、第１要素１２０および少なくとも１つの第２要素は、それぞれ、ベース面１１７およびボトム面１２６に、例えば接着剤によって取り付けられる。
【００１５】
図１Ｅ１について説明する。本発明の１またはそれ以上の側面にしたがったアイアン型クラブヘッドの相関セットは、クラブヘッド１００を含んでいる。人件費および工具費を減じるために、このセットの少なくとも２つのクラブヘッドは、前記インサート１１８に実質的に等しいインサートを含むことができる。前記インサートを含むクラブヘッドのいずれにおいても、打撃面１０２の前縁１０５にほぼ垂直であって、かつ第２要素１２３の後縁１２７と第１ポイントで交差しボトム面１２６の後縁１２９と第２ポイントで交差する仮想垂直面に関して、前記第１ポイントは、前記第２ポイントよりも打撃面１０２の前縁１０５に近い位置、あるいは第２ポイントと一致する位置に配される。前記セット中の少なくとも２つのクラブヘッドは実質的に同一のインサートを使用しているので、本発明のいくつかの例においては、セット中の少なくとも２つのクラブヘッドのベース面は、インサート１１８の第１要素１２０を収容できるように実質的に一致している。図１Ｅ２に示されるように、本発明の他の側面において、ベース面、例えばベース面１１７ａの周辺領域は、前記第１要素、たとえば第１要素１２０ａの周辺領域を越えることができる。ここで言う周辺領域とは、与えられた周囲を有する物体の最大領域を示す。
【００１６】
図１Ｆに示されるように、セット全体を通してクラブヘッド形状の変化に適応させるために、インサート１１８の第１要素、例えば第１要素１２０は、セット中の少なくとも２つのクラブヘッドの背面キャビティ内へのインサートのフィッティングを損なうことなく、受動的曲げ結合（passive flexural coupling）１２５によって、第２要素、例えば第２要素１２３と関連付けられる。たとえば、図１Ｅ１に示されるように、インサート１１８は、セットを通してロフトプログレッションを可能にするために結合部１２５の周りで屈曲し得る。ここで言う受動的曲げ結合、例えば結合部１２５とは、互いにピボット回転するように、それぞれのインサート要素に無視できる付勢力を及ぼす可撓性接合（flexible junction）を言う。無視できる付勢力とは、インサートが、クラブセット中の少なくとも２つのアイアンのキャビティの輪郭に容易に一致し、手による軽い圧力でかかるキャビティ内に挿入され得るように、インサートの第１および第２要素を互いに付勢する、前記接合によってもたらされる力である。前記受動的曲げ結合は、たとえば、厚さおよび／または剛性の減じられた領域、または別タイプの機械的ジョイントからなり得ることを当業者は理解するであろう。
【００１７】
他の実施態様において、図２に示されるように、本発明の１またはそれ以上の側面にしたがったゴルフクラブヘッド２００は、ソール部２０８、トップ部２１２、および打撃面２０２を含むことができる。周辺重み付けエレメント２１６は、打撃面２０２の背後に位置することができ、ベース面２１７を有するキャビティ２３０を区画する内周壁２１５を含むことができる。内周壁２１５は、トップ面２２２およびボトム面２２６を含むことができる。第１インサート２１８が、キャビティ２３０内に配され、この第１インサートは、ベース面２１７と関連付けられた第１要素２２０および、ボトム面２２６と関連付けられた少なくとも１つの第２要素２２３からなることができる。第２インサート２１９を、第１インサート２１８の第１要素２２０にたとえば接着剤で取り付けてもよく、あるいはこれと共同成型（一体成型：co-molded）してもよい。第２インサート２１９は、熱可塑性ポリウレタン（ＴＰＵ）などの弾性材料、あるいはアルミニウムまたは比較的高剛性のポリマーなどの剛体材料からなり得る。第２インサート２１９は、ロゴなどのしるしを含むことができる。本発明の１例においては、第１および第２インサートは、粘弾性材料からなる第１インサートをクラブヘッドのベース層と第２インサート２１９との間に挟んだ拘束層減衰システムを構成する。該システムが振動中に曲がると、第１インサート２１９中に剪断歪みが生じ、該インサートの剪断変形によってエネルギーが失われ、好ましくない共鳴運動が抑制される。アイアンセット全体を通してクラブヘッド形状の変化に適応させるために、第１要素、例えば第１要素２２０は、セット中の少なくとも２つのクラブヘッドの後部キャビティ内へのインサートのフィッティングを損なうことなく、受動的曲げ結合２２５によって、第２要素、例えば第２要素２２３と関連付けられ得る。
【００１８】
図３Ａおよび図３Ｂに示されるように、本発明の１またはそれ以上の側面にしたがったゴルフクラブヘッド３００は、ソール部３０８、トップ部３１２、および前縁３０５を有する打撃面３０２（図３Ｂ参照）を含むことができる。周辺重み付けエレメント３１６は、打撃面３０２の背後に位置することができ、ベース面３１７を有するキャビティ３３０を区画する内周壁３１５を含むことができる。該内周壁３１５は、ボトム面３２６および後縁３２９を有するトップ面３２２を含むことができる。インサート３１８が、キャビティ３３０内に配され、このインサートは、ベース面３１７と関連付けられた第１要素３２０および、トップ面３２６と関連付けられた少なくとも１つの第２要素３２３を含むことができる。第２要素３２３は、内周壁３１５に近接した後縁３２７を有することができる。アイアンセット全体を通してのクラブヘッド形状の変化に適応させるために、第１要素、例えば第１要素３２０は、セット中の少なくとも２つのクラブヘッドの各背面キャビティ内へのインサート３１８などのインサートのフィッティングを損なうことなく、受動的曲げ結合３２５によって、第２要素、例えば第２要素３２３と関連付けられ得る。前記インサートを含むクラブヘッドのいずれにおいても、打撃面３０２の前縁３０５にほぼ垂直であって、かつ第２要素３２３の後縁３２７と第１ポイントで交差しトップ面３２２の後縁３２９と第２ポイントで交差する仮想垂直面に関して、前記第１ポイントは、前記第２ポイントよりも打撃面３０２に近い位置、あるいは第２ポイントと一致する位置に配される。
【００１９】
図４Ａおよび図４Ｂに示されるように、本発明の１またはそれ以上の側面にしたがったゴルフクラブヘッド４００は、トウ部４０４、ヒール部４０６、および前縁４０５を有する打撃面４０２（図４Ｂ参照）を含むことができる。周辺重み付けエレメント４１６は、打撃面４０２の背後に位置することができ、ベース面４１７を有するキャビティ４３０を区画する内周壁４１５を含むことができる。内周壁４１５は、ヒール面４２８および後縁４２９を有するトウ面４２４を含むことができる。インサート４１８が、キャビティ４３０内に配され、このインサートは、ベース面４１７と関連付けられた第１要素４２０および、トウ面４２４と関連付けられた少なくとも１つの第２要素４２３からなることができる。該第２要素は、内周壁４１５に近接した後縁４２７を有することができる。アイアンセット全体を通してのクラブヘッド形状の変化に適応させるために、第１要素、例えば第１要素４２０は、セット中の少なくとも２つのクラブヘッドの各背面キャビティ内へのインサートのフィッティングを損なうことなく、受動的曲げ結合４２５によって、第２要素、例えば第２要素４２３と関連付けることができる。前記インサートを含むゴルフクラブのいずれにおいても、第２要素４２３の後縁４２７と第１ポイントで交差しトウ面４２４の後縁４２９と第２ポイントで交差する仮想垂直面に関して、前記第１ポイントは、前記第２ポイントよりも打撃面４０２に近い位置、あるいは第２ポイントと一致する位置に配される。
【００２０】
図５Ａおよび図５Ｂに示されるように、本発明の１またはそれ以上の側面にしたがったゴルフクラブヘッド５００は、トウ部５０４、ヒール部５０６、および打撃面５０２（図５Ｂ参照）を含むことができる。周辺重み付けエレメント５１６は、打撃面５０２の背後に位置することができ、ベース面５１７を有するキャビティ５３０を区画する内周壁５１５を含むことができる。該内周壁５１５は、トウ面５２４および後縁５２９を有するヒール面５２８を含むことができる。インサート５１８が、キャビティ５３０内に配され、このインサートは、ベース面５１７と関連付けられた第１要素５２０および、ヒール面５２８と関連付けられた少なくとも１つの第２要素５２３を含むことができる。該第２要素５２３は、内周壁５１５に近接した後縁５２７を有することができる。アイアンセット全体を通してのクラブヘッド形状の変化に適応させるために、第１要素、例えば第１要素５２０は、セット中の少なくとも２つのクラブヘッドの各背面キャビティ内へのインサートのフィッティングを損なうことなく、受動的曲げ結合５２５によって、第２要素、例えば第２要素５２３と関連付けることができる。前記インサートを含むゴルフクラブのいずれにおいても、第２要素５２３の後縁５２７と第１ポイントで交差しトウ面５２４の後縁５２９と第２ポイントで交差する仮想垂直面に関して、前記第１ポイントは、前記第２ポイントよりも打撃面５０２に近い位置、あるいは第２ポイントと一致する位置に配される。
【００２１】
図６Ａおよび図６Ｂに示されるように、本発明の１またはそれ以上の側面にしたがったゴルフクラブヘッド６００は、ソール部６０８、トップ部６１２、および打撃面６０２（図６Ｂ参照）を含むことができる。周辺重み付けエレメント６１６は、打撃面６０２の背後に位置することができ、ベース面６１７を有するキャビティ６３０を区画する内周壁６１５を含むことができる。該内周壁６１５は、トップ面６２２およびボトム面６２６を含むことができる。インサート６１８がキャビティ６３０内に配され、このインサートは、ベース面６１７と関連付けられた第１要素６２０、ボトム面６２６と関連付けられた下側第２要素６２３ａ、およびトップ面６２２と関連付けられた上側第２要素６２３ｂを含むことができる。アイアンセット全体を通してのクラブヘッド形状の変化に適応させるために、第１要素、例えば第１要素６２０は、セット中の少なくとも２つのクラブヘッドの各背面キャビティ内へのインサートのフィッティングを損なうことなく、受動的曲げ結合６２５ａおよび６２５ｂによって、第２要素、例えば第２要素６２３ａと６２３ｂとに関連付けることができる。
【００２２】
図７に示されるように、本発明の１またはそれ以上の側面にしたがったゴルフクラブヘッド７００は、トウ部７０４、ヒール部７０６、および打撃面（図示せず）を含むことができる。周辺重み付けエレメント７１６は、打撃面の背後に位置することができ、ベース面７１７を有するキャビティ７３０を区画する内周壁７１５を含むことができる。該内周壁７１５は、トウ面７２４およびヒール面７２８を含むことができる。インサート７１８がキャビティ７３０内に配され、このインサートは、ベース面７１７と関連付けられた第１要素７２０、ヒール面７２８と関連付けられたヒール側第２要素７２３ａ、およびトウ面７２４と関連付けられたトウ側第２要素７２３ｂを含むことができる。該第２要素５２３は、内周壁５１５に近接した後縁５２７を有することができる。アイアンセット全体を通してのクラブヘッド形状の変化に適応させるために、第１要素、例えば第１要素７２０は、セット中の少なくとも２つのクラブヘッドの各背面キャビティ内へのインサートのフィッティングを損なうことなく、それぞれ受動的曲げ結合７２５ａおよび７２５ｂによって、第２要素、例えば第２要素７２３ａおよび７２３ｂとに関連付けることができる。
【００２３】
図８Ａに示されるように、本発明の１またはそれ以上の側面にしたがったゴルフクラブヘッド８００は、トウ部８０４、ヒール部８０６、ソール部８０８、トップ部８１２、および打撃面（図示せず）を含むことができる。周辺重み付けエレメント８１６は、打撃面の背後に位置することができ、ベース面８１７を有するキャビティ８３０を区画する内周壁８１５を含むことができる。該内周壁８１５は、トウ面８２４、ヒール面８２８、トップ面８２２，およびボトム面８２６を含むことができる。インサート８１８がキャビティ８３０内に配され、このインサートは、ベース面８１７と関連付けられた第１要素８２０、トップ面８２２と関連付けられた上側第２要素８２３ａ、ボトム面８２６と関連付けられた下側第２要素８２３ｂ、ヒール面８２８と関連付けられたヒール側第２要素８２３ｃ、およびトウ面８２４と関連付けられたトウ側第２要素８２３ｄを含むことができる。アイアンセット全体を通してのクラブヘッド形状の変化に適応させるために、第１要素、例えば第１要素８２０は、セット中の少なくとも２つのクラブヘッドの各背面キャビティ内へのインサートのフィッティングを損なうことなく、それぞれ受動的曲げ結合８２５ａ乃至８２５ｄによって、第２要素、例えば第２要素８２３ａ乃至８２３ｄとに関連付けることができる。
【００２４】
図８Ｂは、本発明の１またはそれ以上の側面にしたがったゴルフクラブ用の代表的第１インサート、たとえば第１インサート８１８を示す。当業者は、第２要素８２３ａ乃至８２３ｄのうち１またはそれ以上を第１インサートから省略してもよいことを理解するであろう。第１インサート８１８の各第２要素は、１つの第２インサート、たとえば第２インサート２１９と、共同成型してもよく、あるいはこれにたとえば接着剤で取り付けてもよい。第２インサート２１９は、剛直な金属製および／または非金属製（たとえばカーボン繊維など）の材料、弾性材料、あるいはそれらの組み合わせからからなることができる。本発明の１例においては、第１および第２インサートは、粘弾性材料からなる第１インサートをクラブヘッドのベース層と第２インサート２１９との間に挟んだ拘束層減衰システムを構成する。
【００２５】
図９に示されるように、本発明の１またはそれ以上の側面にしたがったゴルフクラブヘッド９００は、トウ部９０４、トップ部９１２、および打撃面（図示せず）を含むことができる。周辺重み付けエレメント９１６は、打撃面の背後に位置することができ、ベース面９１７を有するキャビティ９３０を区画する内周壁９１５を含むことができる。該内周壁９１５は、トウ面９２４およびトップ面９２２を含むことができる。インサート９１８がキャビティ９３０内に配され、このインサートは、ベース面９１７と関連付けられた第１要素９２０、およびトウ面９２４とトップ面９２２とに関連付けられた第２要素９２３を含むことができる。アイアンセット全体を通してのクラブヘッド形状の変化に適応させるために、第１要素、たとえば第１要素９２０は、セット中の少なくとも２つのクラブヘッドの各背面キャビティ内へのインサートのフィッティングを損なうことなく、受動的曲げ結合９２５によって、第２要素、たとえば第２要素９２３に関連付けることができる。
【００２６】
以上、本発明の特定のいくつかの代表的実施形態について詳述したが、本発明は請求項に記載したごとき発明の精神および範囲を逸脱することなく、種々の変更を行って実施し得ることは明白である。したがって、明細書および図面は、本発明を制限するものではなくむしろ説明するためのものであると解釈されるべきである。
【図１Ａ】
2010259801.tif 000003
【図１Ｂ】
2010259801.tif 000004
【図１Ｃ】
2010259801.tif 000005
【図１Ｄ】
2010259801.tif 000006
【図１Ｅ１】
2010259801.tif 000007
【図１Ｅ２】
2010259801.tif 000008
【図１Ｆ】
2010259801.tif 000009
【図２】
2010259801.tif 000010
【図３Ａ】
2010259801.tif 000011
【図３Ｂ】
2010259801.tif 000012
【図４Ａ】
2010259801.tif 000013
【図４Ｂ】
2010259801.tif 000014
【図５Ａ】
2010259801.tif 000015
【図５Ｂ】
2010259801.tif 000016
【図６Ａ】
2010259801.tif 000017
【図６Ｂ】
2010259801.tif 000018
【図７】
2010259801.tif 000019
【図８Ａ】
2010259801.tif 000020
【図８Ｂ】
2010259801.tif 000021
【図９】
2010259801.tif 000022